(57)【要約】  複数の鍼灸針を収納可能で、かつ、使用本数に応じて、その使用本数分をまとめて一度に開封可能な鍼灸針の包装容器を提供する。  容器本体（１０）と、その平面上に剥離可能に貼付けられたシート部材（２０）とからなる包装容器（ブリスタ包装）の一方の端部側に、シート部材（２０）が容器本体（１０）の外枠部分（１３）に貼付けられていない遊び部（２３）を設ける。また、包装容器の一方の端部から他方の端部まで、境界部分（１２）の中央ラインに沿って、ミシン目（カット部（２１ａ），（２１ｂ）、アンカット部（２２ａ），（２２ｂ））を設ける。尚、遊び部（２３）のアンカット部（２２ａ）の長さは、遊び部以外のアンカット部（２２ｂ）の長さに比べ、長くする。
2008149457.tif 000002
【特許請求の範囲】
【請求項１】
平面上に複数の鍼灸針を個別に収納する複数の収納溝を平行に並べて凹設し、収納溝と収納溝との間の境界部分を外枠部分と面一にして残してなる容器本体と、
前記容器本体の複数の収納溝にそれぞれ鍼灸針を収納した状態で、前記容器本体の前記外枠部分及び前記境界部分に剥離可能に貼付けられて、前記容器本体の複数の収納溝の開口部を覆う単一のシート部材と、から構成され、
前記シート部材の、前記収納溝の延在方向で見て、一方の端部側に、前記外枠部分に貼付けられていない遊び部を形成し、
前記容器本体及び前記シート部材の、前記収納溝の延在方向で見て、一方の端部から他方の端部まで、前記境界部分の中央ラインに沿って、カット部とアンカット部とからなるミシン目を形成し、
前記遊び部に形成されたミシン目のアンカット部の長さが、前記遊び部以外に形成されたミシン目のアンカット部の長さに比べ、長いことを特徴とする鍼灸針の包装容器。
【請求項２】
前記ミシン目のカット部を、前記容器本体及び前記シート部材の、前記収納溝の延在方向で見て、少なくとも一方の端部に形成することを特徴とする請求項１記載の鍼灸針の包装容器。
【請求項３】
前記ミシン目のカット部を、前記遊び部の外縁部に形成し、このミシン目のカット部の長さは、前記遊び部の外縁部以外に形成されたミシン目のカット部の長さに比べ、短いことを特徴とする請求項１又は請求項２に記載の鍼灸針の包装容器。
【請求項４】
前記遊び部を、前記容器本体の収納溝に収納された鍼灸針の針柄側に形成することを特徴とする請求項１〜請求項３のいずれか１つに記載の鍼灸針の包装容器。
【請求項５】
前記シート部材は、滅菌ガス透過性を有していることを特徴とする請求項１〜請求項４のいずれか１つに記載の鍼灸針の包装容器。
【発明の詳細な説明】
【技術分野】
【０００１】
本発明は、針治療に使用される鍼灸針の包装容器（収納容器）に関する。
【背景技術】
【０００２】
鍼治療に使用される鍼灸針は、安全のため、１本ずつ、個包装（例えば、ブリスタ包装）して提供されており、１本ずつ開封して、使用するのが前提である。
この場合、１本ずつ使用するユーザー（施術者）には良いが、１度に多数を使用するユーザーには、個包装を１つずつ開封することが手間であった。
そこで、特許文献１に記載されているように、個包装ではなく、１つの容器に多数の鍼灸針（例えば１０本）を収納する包装形態もある。
【特許文献１】実開平０６−０３１７４０号公報
【発明の開示】
【発明が解決しようとする課題】
【０００３】
しかしながら、例えば１０本入りの包装で、その一部のみを使用する場合には、残りの鍼灸針を滅菌状態で保存することができず、不衛生であるという問題点があった。
本発明は、このような実状に鑑み、複数の鍼灸針を収納可能で、かつ、使用本数に応じて、その使用本数分をまとめて一度に開封可能な鍼灸針の包装容器（収納容器）を提供することを目的とする。
【課題を解決するための手段】
【０００４】
このため、本発明に係る鍼灸針の包装容器は、平面上に複数の鍼灸針を個別に収納する複数の収納溝を平行に並べて凹設し、収納溝と収納溝との間の境界部分を外枠部分と面一にして残してなる容器本体と、容器本体の複数の収納溝にそれぞれ鍼灸針を収納した状態で、容器本体の外枠部分及び境界部分に剥離可能に貼付けられて、容器本体の複数の収納溝の開口部を覆う単一のシート部材と、から構成する。【０００５】
また、シート部材の、収納溝の延在方向で見て、一方の端部側に、容器本体の外枠部分に貼付けられていない遊び部を形成する。
また、容器本体及びシート部材の、収納溝の延在方向で見て、一方の端部から他方の端部まで、境界部分の中央ラインに沿って、カット部とアンカット部とからなるミシン目を形成する。【０００６】
更に、遊び部に形成されたミシン目のアンカット部の長さは、遊び部以外に形成されたミシン目のアンカット部の長さに比べ、長くする。
【発明の効果】
【０００７】
本発明によれば、複数の鍼灸針のうち、一部のみを使用する場合は、境界部分の中央ラインに沿って形成されたミシン目を用いて、使用本数分の鍼灸針が収納された収納容器を分離した後、この分離した収納容器の遊び部からシート部材を剥がすことにより、使用本数分を一度にまとめて開封することができると共に、使用しない残りの鍼灸針の包装状態を維持することができる。【０００８】
また、複数の鍼灸針のうち、全部を使用する場合は、包装容器の遊び部からシート部材を剥がすことにより、使用本数分（全部）を一度にまとめて開封することができる。
【図面の簡単な説明】
【０００９】
【図１】本発明の一実施形態を示す包装容器（本体）の平面図である。
【図２】図１のＡ−Ａ断面図である。
【図３】図１のＢ−Ｂ断面図である。
【図４】図１のＣ部の拡大図である。
【図５】鍼灸針を説明する概要図である。
【図６】針管付きの鍼灸針を説明する概要図である。
【図７】５本の鍼灸針を収納した包装容器の斜視図である。
【図８】１本のみを使用する場合の開封方法を示す斜視図である。
【図９】１本のみを使用する場合の開封方法を示す斜視図である。
【図１０】２本を使用する場合の開封方法を示す斜視図である。
【図１１】２本を使用する場合の開封方法を示す斜視図である。
【図１２】全部を使用する場合の開封方法を示す斜視図である。
【符号の説明】
【００１０】
１  鍼灸針
２  針体
３  針柄
４  針管
１０  容器本体（ボトム材）
１１  収納溝
１２  境界部分
１３  外枠部分
２０  シート部材（トップ材）
２１ａ，２１ｂ  ミシン目のカット部
２２ａ，２２ｂ  ミシン目のアンカット部
２３  遊び部
ＳＬ  シール部
ＮＳ  未シール部
【発明を実施するための最良の形態】
【００１１】
以下に本発明の実施の形態を図面に基づいて説明する。
図１は本発明の一実施形態を示す包装容器（容器本体）の平面図、図２は図１のＡ−Ａ断面図、図３は図１のＢ−Ｂ断面図、図４は図１のＣ部の拡大図、図５は鍼灸針の概要図、図６は針管付き鍼灸針の概要図である。
鍼灸針１は、図５に示されているように、先端部に針先部を有する金属製の針体２と、その基端部に設けられた樹脂製又は金属製の針柄３とにより構成される。また鍼灸針１は、図６に示されているように、それを円筒状の針管４に挿入しているものであってもよい。【００１２】
この鍼灸針１を複数本（例えば５本）まとめて収納するために、本発明に係る包装容器（収納容器）が用いられる。
本発明に係る包装容器は、容器本体（ボトム材）１０と、シート部材（トップ材）２０とにより構成される。
容器本体１０は、樹脂製で、矩形の平面状に、複数の鍼灸針１を個別に収納する複数の収納溝１１を平行に並べて凹設し、収納溝１１と収納溝１１との間の境界部分１２を、外枠部分１３と面一にして残している。【００１３】
この容器本体１０の複数の収納溝１１にそれぞれ鍼灸針１を収納した後、容器本体１０の開口部をシート部材２０でシールする。
シート部材２０は、容器本体１０の平面部とほぼ同じ大きさの、１つの矩形の紙材で、滅菌ガス透過性を有しており、容器本体１０の外枠部分１３及び境界部分１２に剥離可能に貼付けられて、容器本体１０の収納溝１１の開口部を覆うようになっている。【００１４】
この貼付けは、熱溶着（ヒートシール）により行うようにしており、図１のハッチング部分ＳＬが貼付け部（シール部）である。
また、図１のハッチング部（シール部）ＳＬの外側にハッチング無し部分ＮＳがあって、これが未シール部となっていることからもわかるように、シート部材２０の、収納溝１１の延在方向で見て、一方の端部側に、外枠部分１３に貼付けられていない遊び部２３を設けて、シート部材２０を剥離させる際に指でつまむのを容易にしている。この場合、シート部材２０（その少なくとも一部）を容器本体１０の平面部より大きくして、外枠部分１３よりはみ出している部分をつまむようにしてもよい。尚、本実施形態において、遊び部２３を、収納溝１１に収納された鍼灸針１の針柄３側に設けているが、この他、針管４付きの鍼灸針１を用いる場合は、遊び部２３を、収納溝１１に収納された針灸針１の針先側に設けてもよい。【００１５】
ここで、シート部材２０の外面上に、遊び部２３が設けられている箇所を認識できるような表示を付すことにより、ユーザーは容易に遊び部２３が設けられている箇所を認識し、容易に開封することが可能である。
また、シート部材２０の、収納溝１１の延在方向で見て、一方の端部から他方の端部まで、境界部分１２の中央ラインに沿って、カット部２１ａ，２１ｂとアンカット部２２ａ，２２ｂとからなるミシン目を設けている。尚、本実施形態において、シート部材２０だけでなく、シート部材２０と容器本体１０と両方に、ミシン目（カット部２１ａ，２１ｂ及びアンカット部２２ａ，２２ｂ）を設けている。また、このミシン目は、容器本体１０にシート部材２０が貼付けられた後、押し切り刃にて形成されるが、ミシン目の形成方法は、これに限定するものではない。【００１６】
ここで、ミシン目（カット部２１ａ，２１ｂ及びアンカット部２２ａ，２２ｂ）の詳細について、図４を用いて説明する。
図４は、図１のＣ部の拡大図である。
ミシン目のカット部２１ａは、遊び部２３の外縁部に設けられ、その長さＬ１は、遊び部２３の外縁部以外に設けられたミシン目のカット部２１ｂの長さＬ２に比べ、短くなっている。また、ミシン目のアンカット部２２ａは、遊び部２３に設けられ、その長さＬ３は、遊び部２３以外に設けられたミシン目のアンカット部２２ｂの長さＬ４に比べ、長くなっている。【００１７】
次に、本発明に係る包装容器の開封方法について、図７〜図１２を用いて説明する。
図７〜図９は、包装容器に収納された５本の鍼灸針１のうち、１本のみを使用する場合の開封方法を示している。
まず、５本の鍼灸針１が収納された包装容器（図７参照）より、境界部分１２の中央ラインに沿って設けられたミシン目（カット部２１ａ，２１ｂ及びアンカット部２２ａ，２２ｂ）を用いて、使用する１本の鍼灸針１が収納された収納容器を分離する（図８参照）。このとき、長めのアンカット部２２ａを切り離しさえすれば、簡単に他のアンカット部２２ｂも切り離すことができる。【００１８】
次に、この１本の鍼灸針１が収納された収納容器の遊び部２３を指でつまみ、シート部材２０を剥がす（図９参照）。
図７，図１０，図１１は、包装容器に収納された５本の鍼灸針１のうち、２本を使用する場合の開封方法を示している。
まず、５本の鍼灸針１が収納された包装容器（図７参照）より、境界部分１２の中央ラインに沿って設けられたミシン目（カット部２１ａ，２１ｂ及びアンカット部２２ａ，２２ｂ）を用いて、使用する２本の鍼灸針１が収納された収納容器を分離する（図１０参照）。【００１９】
次に、使用する２本の鍼灸針１が収納された収納容器の遊び部２３を指でつまみ、アンカット部２２ａを介して、シート部材２０を一度に剥がす（図１１参照）。このとき、剥がす側のアンカット部２２ａが、他のアンカット部２２ｂに比べ、長いので、２本（複数本）分のシート部材２０を一度に剥がすことは容易である。
図７〜図１１に示した開封方法を用いることにより、開封する収納容器と開封しない収納容器とが分離可能であるので、開封しない収納容器に収納された鍼灸針１は、包装状態（無菌状態）を維持することが可能である。【００２０】
図７，図１２は、包装容器に収納された５本の鍼灸針１の全部を使用する場合の開封方法を示している。
５本の鍼灸針１が収納された包装容器（図７参照）の遊び部２３を指でつまみ、アンカット部２２ａを介して、シート部材２０を一度に剥がす（図１２参照）。
本実施形態によれば、遊び部２３にミシン目のアンカット部２２ａを形成することにより、複数の鍼灸針１を取り出すために遊び部２３を指でつまみ、遊び部２３に形成されたミシン目のアンカット部２２ａを介して、シート部材２０を一度に剥がすことができる。但し、遊び部２３に形成されるミシン目のアンカット部２２ａは単数に限らず、複数であってもよい。【００２１】
また本実施形態によれば、遊び部２３に形成されたミシン目のアンカット部２２ａの長さＬ３は、遊び部２３以外に形成されたミシン目のアンカット部２２ｂの長さＬ４に比べ、長いので、複数の鍼灸針１を取り出すために遊び部２３を指でつまみ、遊び部２３に形成されたミシン目のアンカット部２２ａを介して、シート部材２０を一度に剥がす際に、ミシン目のカット部２１ａよりアンカット部２２ａが裂けて破断するのを抑制することができる。【００２２】
また本実施形態によれば、ミシン目のカット部２１ａ，２１ｂを、容器本体１０及びシート部材２０の、収納溝１１の延在方向で見て、少なくとも一方の端部に形成するので、境界部分１２の中央ラインに沿って包装容器を分離する場合は、容器本体１０及びシート部材２０の端部に形成されたミシン目のカット部２１ａ，２１ｂから、容易に分離することができる。【００２３】
また本実施形態によれば、ミシン目のカット部２１ａを、遊び部２３の外縁部に形成し、このミシン目のカット部２１ａの長さＬ１は、遊び部２３の外縁部以外に形成されたミシン目のカット部２１ｂの長さＬ２に比べ、短いので、複数の鍼灸針１を取り出すために遊び部２３を指でつまみ、遊び部２３に形成されたミシン目のアンカット部２２ａを介して、シート部材２０を一度に剥がす際に、ミシン目のカット部２１ａよりアンカット部２２ａが裂けるのを抑制することができる。【００２４】
また本実施形態によれば、遊び部２３を、容器本体１０の収納溝１１に収納された鍼灸針１の針柄３側に形成することにより、開封後、針体２に直接触れることなく、針柄３（もしくは針管４）を指でつまみ、鍼灸針１を取り出すことができる。
また本実施形態によれば、シート部材２０は、滅菌ガス透過性を有しているので、容器本体１０に鍼灸針１を収納し、シート部材２０を貼付けて密閉（シール）した後、この状態で滅菌ガスにさらすことにより、滅菌処理を行うことができる。但し、他の滅菌処理を行うのであれば、シート部材として、樹脂フィルムなどを用いることも可能である。
【産業上の利用可能性】
【００２５】
本発明によれば、複数の鍼灸針を収納した収納容器から、使用する鍼灸針を、その使用本数に応じて一度にまとめて開封し、取り出すことができる。また、使用しない残りの鍼灸針は、その包装状態を維持することができるので、産業上の利用可能性は大である。
【図１】
2008149457.tif 000003
【図２】
2008149457.tif 000004
【図３】
2008149457.tif 000005
【図４】
2008149457.tif 000006
【図５】
2008149457.tif 000007
【図６】
2008149457.tif 000008
【図７】
2008149457.tif 000009
【図８】
2008149457.tif 000010
【図９】
2008149457.tif 000011
【図１０】
2008149457.tif 000012
【図１１】
2008149457.tif 000013
【図１２】
2008149457.tif 000014
【国際調査報告】
2008149457.tif 000015
2008149457.tif 000016
2008149457.tif 000017
2008149457.tif 000018